(57)【要約】【課題】単一のスイッチ素子を用いるだけで、操作体が傾くように操作されたときでもスイッチ素子に対する入力を適正に達成でき、かつ安価に製造することができるエレベータ用押しボタンスイッチ装置を提供する。【解決手段】ボタントップ１６とホルダー１７とならなる操作体１５は、コイルスプリング２０，２９により弾性的に付勢され、その付勢力に抗して押し込まれる。ホルダー１７には操作突起部２２が一体に形成され、この操作突起部２２に対向して押しスイッチ２５が設けられている。押しスイッチ２５は操作子２７を有し、この操作子２７が操作体１５の押し込みに応じて操作突起部２２の先端面２２ａで押圧される。操作突起部２２の先端面２２ａは半球状に突出する曲面となっており、このため操作突起部２２が押しスイッチ２５の軸方向に傾いて操作子２７に接触しても操作子２７がその傾きに関係なく軸方向に移動する。【選択図】    図２
2010089892.tif 000002
【特許請求の範囲】
【請求項１】
弾性体による付勢力に抗して押し込みが可能な操作体と、
前記操作体に設けられた操作突起部と、
前記操作突起部と対向して配置され、前記操作体の押し込みの操作で前記操作突起部により押圧される操作子を有するスイッチ素子と、
を具備し、
前記操作突起部の前記操作子に対向する先端面が半球状に突出する曲面となっていることを特徴とするエレベータ用押しボタンスイッチ装置。
【請求項２】
前記操作体は、ボタントップと、このボタントップの裏面側に重ね合わされたホルダーとならなり、前記ホルダーに前記操作突起部が一体に形成されていることを特徴とする請求項１に記載のエレベータ用押しボタンスイッチ装置。
【発明の詳細な説明】
【技術分野】
【０００１】
この発明は、エレベータ乗り場の操作盤やかご内の操作盤に設けられ、エレベータの利用者が指先で操作して所定の情報を伝達するために使用されるエレベータ用押しボタンスイッチ装置に関する。
【背景技術】
【０００２】
近年、エレベータには、特開２００６−２６４８６０公報に示されるように、バリアフリーの観点から押しやすく見やすい大型の押しボタンスイッチ装置が採用されるようになってきている。
【０００３】
押しボタンスイッチ装置は、利用者が指先で押し込む操作体と、この操作体に対する押し込みの操作で動作してその信号をエレベータ制御部に出力するスイッチ素子とを備えている。
【０００４】
操作体が平行を保ったまま押し込まれたときには、その動作でスイッチ素子が的確に動作するが、大型の押しボタンスイッチ装置においては、操作体の面積が大きく、このため操作体の偏った部分に指先を当てて押し込んで、操作体が傾くように動作してしまうことがある。このような場合、スイッチ素子が適正に動作しないようなことが起こる。
【０００５】
そこで、特開２００６−２６４８６０公報では、押しボタンスイッチ装置の基板に複数のスイッチ素子を設け、操作体が傾いて押し込まれたときに、そのいずれかのスイッチ素子に操作体が適正に当接して所定の信号を出力できるようにしている。
【特許文献１】特開２００６−２６４８６０公報
【発明の開示】
【発明が解決しようとする課題】
【０００６】
しかしながら、基板に複数のスイッチ素子を取り付けるとなると、スイッチ素子の数が増し、コストが高くなるばかりでなく、基板の配線構造や信号の出力送信構造が複雑となり、製造能率が低下し、より一層、高価な押しボタンスイッチ装置となってしまう。
【０００７】
この発明はこのような点に着目してなされたもので、その目的とするところは、単一のスイッチ素子を用いるだけで、操作体が傾くように操作されたときでもスイッチ素子に対する入力を適正に達成でき、かつ安価に製造することができるエレベータ用押しボタンスイッチ装置を提供することにある。
【課題を解決するための手段】
【０００８】
このような目的を達成するために、請求項１の発明は、弾性体による付勢力に抗して押し込みが可能な操作体と、前記操作体に設けられた操作突起部と、前記操作突起部と対向して配置され、前記操作体の押し込みの操作で前記操作突起部により押圧される操作子を有するスイッチ素子とを具備し、前記操作突起部の前記操作子に対向する先端面が半球状に突出する曲面となっていることを特徴としている。
【０００９】
請求項２の発明は、前記操作体が、ボタントップと、このボタントップの裏面側に重ね合わされたホルダーとならなり、前記ホルダーに前記操作突起部が一体に形成されていることを特徴としている。
【発明の効果】
【００１０】
この発明の押しボタンスイッチ装置によれば、単一のスイッチ素子を用いるだけで、操作体が傾くように操作されたときでもスイッチ素子に対する入力を適正に達成でき、かつ安価に製造することができる。
【発明を実施するための最良の形態】
【００１１】
以下、この発明の実施の形態について図面を参照して説明する。
【００１２】
図１にはエレベータ乗り場１の外観を示してある。エレベータ乗り場１における壁面には三方枠２を備える乗降口３が設けられ、この乗降口３にその開閉用の乗り場ドア装置４が設けられている。乗り場ドア装置４は、例えば一対のドアパネル４ａが左右に移動して乗降口３を開閉する両開き式構造となっている。
【００１３】
乗り場１の壁面には、三方枠２の側方に位置して乗り場操作盤７が取り付けられている。乗り場操作盤７はフェイスプレート８を有し、このフェイスプレート８にかご呼び登録用の押しボタンスイッチ装置９が設けられている。
【００１４】
図２には、押しボタンスイッチ装置９の構造を示してあり、フェイスプレート８には装着口１２が形成され、この装着口１２にフェイスプレート８の裏面側からスイッチ枠１３が装着されている。スイッチ枠１３の表面はフェイスプレート８の表面と面一をなし、このスイッチ枠１３の表面に開口１４が形成されている。
【００１５】
スイッチ枠１３の内側には操作体１５が設けられている。この操作体１５はボタントップ１６と、このボタントップ１６の裏面側に重ね合わされたホルダー１７とからなる。ボタントップ１６及びホルダー１７は透光性を有する合成樹脂材料によりそれぞれ例えば四角形に形成され、ボタントップ１６がスイッチ枠１３の表面の開口１４に遊嵌されている。
【００１６】
ボタントップ１６は、表面がフェイスプレート８の表面から僅かに突出するように配置され、スイッチ枠１３の内側に臨んだ基部の外周縁部に抜止め用のフランジ１８が一体に突出形成されている。
【００１７】
ボタントップ１６の裏面側に配置されたホルダー１７の周縁部とスイッチ枠１３の内側の周縁部との間には弾性体としての複数のコイルスプリング２０が均等的に設けられ、これらコイルスプリング２０によりボタントップ１６の表面が開口１４から突出するように操作体１５の全体が弾性的に付勢されている。
【００１８】
ホルダー１７の裏面中央部には、操作突起部２２が一体に突出形成され、またスイッチ枠１３の背面にはホルダー１７と対向して基板２４が取り付けられている。基板２４の表面には、中央部にスイッチ素子としての押しスイッチ２５が取り付けられているとともに、この押しスイッチ２５の周辺部に位置して発光素子としての複数のＬＥＤ２６が均等的に配設されている。
【００１９】
押しスイッチ２５はボタン型の操作子２７を有し、この操作子２７が押圧されることにより通電用の接点がオンし、このオン動作でエレベータの運行を制御する制御盤（図示せず）に所定の信号が出力されるとともに、前記各ＬＥＤ２６が点灯するようになっている。
【００２０】
押しスイッチ２５の操作子２７の表面２７ａは平面で、この表面２７ａに対向するホルダー１７の操作突起部２２の先端面２２ａは半球状の曲面となっている。基板２４とホルダー１７との間には、押しスイッチ２５及び操作突起部２２を囲むようにコイルスプリング２９が装着され、このコイルスプリング２９と前記コイルスプリング２０とで操作体１５の全体、つまりボタントップ１６とホルダー１７とが均等的に基板２４から離間する方向に弾性的に付勢され、通常時には操作突起部２２の先端面２２ａと操作子２７の表面２７ａとの間に所定の離間距離が保たれている。
【００２１】
このような構成において、エレベータの利用者がフェイスプレート８の表面側からボタントップ１６を指先で押し込むと、このボタントップ１６及びホルダー１７がコイルスプリング２０，２９の弾性力に抗して基板２４に接近する方向に移動し、この移動で操作突起部２２が押しスイッチ２５の操作子２７に接触し、その操作突起部２２で操作子２７が押圧され、接点がオンし、その信号がエレベータの制御盤に送られる。そしてこの動作で、制御盤にかご呼びが登録され、またＬＥＤ２６が点灯して発光し、ボタントップ１６が明るく照光され、かご呼びの登録済みが利用者に表示される。
【００２２】
ボタントップ１６の中央部が利用者の指先で押されたときには、図３（Ａ）に示すように、ボタントップ１６及びホルダー１７が基板２４とほぼ平行を保って移動し、操作突起部２２により操作子２７がその軸方向に的確に押圧される。したがって押しスイッチ２５の接点が適正にオンする。
【００２３】
一方、図３（Ｂ）に示すように、ボタントップ１６が中央部から偏った周縁部の一部の部分において利用者の指先で押されたときには、ボタントップ１６及びホルダー１７が基板２４に対して傾く状態で押し込まれて移動し、操作突起部２２が操作子２７の軸方向に対して傾く状態で接触する。
【００２４】
しかしながら、操作突起部２２の先端面２２ａは球面となっており、このため操作突起部２２の傾きにかかわらず、操作子２７は操作突起部２２の先端面２２ａにより操作子２７の軸方向に押圧される。したがって、押しスイッチ２５の接点が適正にオンする。
【００２５】
操作突起部２２がいずれの方向に傾く場合であっても同様であり、したがってボタントップ１６の押し方に影響されることなく、常に押しスイッチ２５の接点が適正にオンし、的確にかご呼びの登録が達成され、かつボタントップ１６が照光する。
【００２６】
そして、基板２４に一つの押しスイッチ２５を設けるだけでよいから、コストを軽減でき、また基板２４の配線構造や信号の出力送信構造を簡単な構成とすることができ、したがって製造能率が向上し、より一層、コストを軽減することができる。
【００２７】
なお、この発明の押しボタンスイッチ装置は、エレベータ乗り場の操作盤に設けるかご呼び登録用のスイッチとして用いる場合に限らず、例えばかご内の操作盤に設けるかご行先階登録用のスイッチなどエレベータ用の各種のスイッチとして用いることが可能である。
【００２８】
また、操作体１５を構成するボタントップ１６及びホルダー１７は、四角形の場合に限らず、円形やその他の形状であっても何ら差し支えない。
【図面の簡単な説明】
【００２９】
【図１】この発明の一実施形態に係る押しボタンスイッチ装置を備えるエレベータ乗り場の外観斜視図。
【図２】その押しボタンスイッチ装置の断面図。
【図３】その押しボタンスイッチ装置の動作を説明するための断面図。
【符号の説明】
【００３０】
１…エレベータ乗り場
３…ボタントップ
４…乗り場ドア装置
７…乗り場操作盤
８…フェイスプレート
９…ボタンスイッチ装置
１２…装着口
１３…スイッチ枠
１４…開口
１５…操作体
１６…ボタントップ
１７…ホルダー
１８…フランジ
２０…コイルスプリング
２２…操作突起部
２４…基板
２５…スイッチ
２６…ＬＥＤ
２７…操作子
２９…コイルスプリング
【図１】
2010089892.tif 000003
【図２】
2010089892.tif 000004
【図３】
2010089892.tif 000005